(57)【要約】【課題】製造の手間及びコストを削減できる画像読取装置及びそれを備える画像形成装置を提供する。【解決手段】本発明に係る画像読取装置は、光源５１と、該光源５１の光を導入し出射面５３ｂから光を出射する導光体５３と、該導光体５３が出射した光が読取対象物Ｓに照射されて生じる反射光を検知する受光素子とを備える画像読取装置であって、出射面５３ｂから出射された光を読取対象物Ｓに向けて反射する反射板５４と、導光体５３から離間し、出射面５３ｂと反射板５４との間の光路Ｌ１に設けられ、出射面５３ｂから出射された光を拡散する拡散板５５とを備える、という構成を採用する。【選択図】図３
2011211464.tif 000002
【特許請求の範囲】
【請求項１】
光源と、該光源の光を導入し出射面から光を出射する導光体と、該導光体が出射した光が読取対象物に照射されて生じる反射光を検知する受光素子とを備える画像読取装置であって、
前記出射面から出射された光を前記読取対象物に向けて反射する反射板と、
前記導光体から離間し、前記出射面と前記反射板との間の光路に設けられ、前記出射面から出射された光を拡散する拡散板とを備えることを特徴とする画像読取装置。
【請求項２】
請求項１に記載の画像読取装置において、
前記導光体と異なる位置に設けられ、前記拡散板を支持する支持部を備えることを特徴とする画像読取装置。
【請求項３】
請求項２に記載の画像読取装置において、
前記支持部は、前記反射板に設けられることを特徴とする画像読取装置。
【請求項４】
請求項２に記載の画像読取装置において、
前記反射板が取り付けられる取付部を備え、
前記支持部は、前記取付部に設けられることを特徴とする画像読取装置。
【請求項５】
請求項１から４のいずれか一項に記載の画像読取装置において、
前記拡散板は、前記反射板と前記読取対象物との間の光路から離間した位置に設けられることを特徴とする画像読取装置。
【請求項６】
請求項１から５のいずれか一項に記載の画像読取装置において、
前記導光体は、前記出射面と異なる位置に設けられるとともに前記光源の光を前記読取対象物に向けて出射する第２出射面を備えることを特徴とする画像読取装置。
【請求項７】
請求項６に記載の画像読取装置において、
前記第２出射面と前記読取対象物との間の光路に設けられ、前記第２出射面から出射された光を拡散する第２拡散板を備えることを特徴とする画像読取装置。
【請求項８】
読取対象物に光を照射するとともに前記読取対象物からの反射光を受光し画像データとして読み取る画像読取装置と、前記画像データに基づいて記録媒体への印刷を行う印刷部とを備える画像形成装置であって、
前記画像読取装置として、請求項１から７のいずれか一項に記載の画像読取装置を備えることを特徴とする画像形成装置。
【発明の詳細な説明】
【技術分野】
【０００１】
本発明は、画像読取装置及び画像形成装置に関するものである。
【背景技術】
【０００２】
従来から、透明な載置台に載置される原稿（読取対象物）の画像を読み取る画像読取装置、及び該画像読取装置を備える複写機等の画像形成装置が知られている。このような画像読取装置は、ＬＥＤ等の光源と、光源の光が原稿に照射されて生じる反射光を受光して電気信号に変換する受光素子と、上記電気信号を画像データに変換する変換部とを備えている。また、原稿を載置台から離間して載置したときに（例えば本を開いて載置した場合の中央部分）、読み取った画像データに影の部分が生じることを防止するため、特許文献１に示す画像読取装置では原稿に対して複数の異なる方向から光を照射している。上記画像読取装置では、光源の光を導入し、２方向に向けて出射できる導光体が用いられている。
【０００３】
また、導光体から出射される光が直接に原稿に照射されると、原稿からの反射光に局所的に光量の多い部分が生じてしまい、得られる画像データにいわゆる輝点が発生することがある。このような輝点の発生を防止するため、導光体の出射面には光を拡散する拡散板が設けられている。導光体の出射面から出射される光を全て拡散させる必要があるため、拡散板は出射面を全て覆う大きさで成形されている。
【先行技術文献】
【特許文献】
【０００４】
【特許文献１】特開２００９−２４６４６２号公報
【発明の概要】
【発明が解決しようとする課題】
【０００５】
ところで、導光体の出射面は、第１出射部と、該第１出射部よりも光の出射方向に向かって突出する第２出射部のそれぞれに設けられている。第１出射部及び第２出射部のそれぞれの出射面には、第１拡散板及び第２拡散板が設けられている。
しかしながら第１出射部は、第２出射部と、光源が実装される基板又は導光体が取り付けられる取付部材等との間に挟まれた位置に設けられている。そのため、第１拡散板を第２出射部と基板又は取付部材等との間に隙間無く配置する必要があり、その製作には高い精度が要求され、第１拡散板の製作コストが増加するという課題があった。また、第１拡散板が基板又は取付部材等に干渉したり、第２出射部に乗り上げたりすることを防止するため、第１拡散板を精度よく第１出射部に取り付ける必要があり、画像読取装置の製造の手間及びコストが増加するという課題があった。
【０００６】
本発明は、以上のような点を考慮してなされたもので、製造の手間及びコストを削減できる画像読取装置及びそれを備える画像形成装置を提供することを目的とする。
【課題を解決するための手段】
【０００７】
上記課題を解決するために、本発明は以下の手段を採用する。
本発明に係る画像読取装置は、光源と、該光源の光を導入し出射面から光を出射する導光体と、該導光体が出射した光が読取対象物に照射されて生じる反射光を検知する受光素子とを備える画像読取装置であって、出射面から出射された光を読取対象物に向けて反射する反射板と、導光体から離間し、出射面と反射板との間の光路に設けられ、出射面から出射された光を拡散する拡散板とを備える、という構成を採用する。
本発明では、拡散板が導光体から離間して設けられることから、拡散板を導光体の形状に応じた外形に成形する必要がない。そのため、拡散板の外形を出射面よりも大きくでき、拡散板の製作精度を緩和することが可能となる。同様に、拡散板が導光体から離間して設けられることから、拡散板の取付精度を緩和することが可能となる。
【０００８】
また、本発明に係る画像読取装置は、導光体と異なる位置に設けられ、拡散板を支持する支持部を備える、という構成を採用する。
【０００９】
また、本発明に係る画像読取装置は、支持部が反射板に設けられる、という構成を採用する。
【００１０】
また、本発明に係る画像読取装置は、反射板が取り付けられる取付部を備え、支持部が取付部に設けられる、という構成を採用する。
【００１１】
また、本発明に係る画像読取装置は、拡散板が反射板と読取対象物との間の光路から離間した位置に設けられる、という構成を採用する。
【００１２】
また、本発明に係る画像読取装置は、導光体が、出射面と異なる位置に設けられるとともに光源の光を読取対象物に向けて出射する第２出射面を備える、という構成を採用する。
【００１３】
また、本発明に係る画像読取装置は、第２出射面と読取対象物との間の光路に設けられ、第２出射面から出射された光を拡散する第２拡散板を備える、という構成を採用する。
【００１４】
また、本発明に係る画像形成装置は、読取対象物に光を照射するとともに読取対象物からの反射光を受光し画像データとして読み取る画像読取装置と、画像データに基づいて記録媒体への印刷を行う印刷部とを備える画像形成装置であって、画像読取装置として、請求項１から７のいずれか一項に記載の画像読取装置を備える、という構成を採用する。
【発明の効果】
【００１５】
本発明によれば、以下の効果を得ることができる。
本発明によれば、拡散板の製作精度及び取付精度をいずれも緩和することができる。そのため、拡散板を備える画像読取装置及び画像形成装置の製造の手間及びコストを削減できるという効果がある。
【図面の簡単な説明】
【００１６】
【図１】本発明の第１実施形態における複写機の垂直断面図である。
【図２】本発明の第１実施形態における画像読取部の垂直断面図である。
【図３】本発明の第１実施形態における照明ユニットの側面図である。
【図４】本発明の第１実施形態における反射板の斜視図である。
【図５】本発明の第２実施形態における照明ユニットの側面図である。
【図６】本発明の第２実施形態における反射板ブラケットの斜視図である。
【発明を実施するための形態】
【００１７】
以下、本発明の実施の形態を、図１から図６を参照して説明する。なお、以下の説明に用いる各図面では、各部材を認識可能な大きさとするため、各部材の縮尺を適宜変更している。また、以下の説明においては、本発明に係る画像形成装置の一例として複写機を挙げて説明する。
【００１８】
〔第１実施形態〕
第１の実施形態における複写機の構成を、図１から図４を参照して説明する。
図１は、本実施形態における複写機１の垂直断面図である。また、図２は、本実施形態における画像読取部２の垂直断面図である。また、図３は、本実施形態における照明ユニット５０の側面図である。また、図４は、本実施形態における反射板５４の斜視図である。
【００１９】
本実施形態における複写機１は、図１に示すように、原稿Ｓ（読取対象物）の画像を画像データとして読み取る画像読取部２（画像読取装置）と、読み取った画像データに基づいて所定の記録紙（記録媒体）に印刷を行う印刷部３とを備えている。すなわち、複写機１は、原稿Ｓの画像を記録紙に対して複写する装置である。
【００２０】
画像読取部２は、原稿Ｓの下面側に光を照射し、その反射光を受光することによって原稿Ｓの画像を画像データとして読み取るものであり、図２に示すように、原稿Ｓを載置するコンタクトガラス４０と、照明ユニット５０と、ミラーユニット６０と、受光ユニット７０とを備えている。
【００２１】
コンタクトガラス４０は、矩形板状の透明なガラスであり、原稿Ｓをその上面に載置するものである。コンタクトガラス４０は、画像読取部２の筐体４１に固定されている。筐体４１の内部には、照明ユニット５０、ミラーユニット６０及び受光ユニット７０が設置されている。
【００２２】
照明ユニット５０は、本実施形態における特徴的部分であって、図３に示すように、コンタクトガラス４０の下方から原稿Ｓの下面側に向けて光を照射するものである。照明ユニット５０は、光源としてのＬＥＤ（Light Emitting Diode）５１（光源）と、プリント基板５２と、導光体５３と、反射板５４と、第１拡散板５５（拡散板）と、第２拡散板５６と、反射ミラー５７とを備えている。
これらの各構成要素は、図３の紙面垂直方向に延在する第１枠体５８に設置されている。第１枠体５８は、鋼板等を機械加工（プレス加工）することで成形されており、不図示の駆動装置によって紙面左右方向に移動自在となっている。なお、以下、第１枠体５８の延在方向を主走査方向、第１枠体５８の移動方向を副走査方向として説明する場合がある。
【００２３】
ＬＥＤ５１は、原稿Ｓに照射される白色光を出射する発光デバイスである。ＬＥＤ５１は、プリント基板５２上に主走査方向に複数並んで実装され、プリント基板５２の面方向に沿う向きに白色光を出射する。
プリント基板５２は、ＬＥＤ５１の駆動回路を備えると共に、複数のＬＥＤ５１の保持部材として機能するものである。プリント基板５２は第１枠体５８上に設置されている。
【００２４】
導光体５３は、ＬＥＤ５１から出射された光を入射面５３ａから導入し、該光を内部で反射させつつ導光し、第１出射面５３ｂ（出射面）及び第２出射面５３ｃから出射するものである。導光体５３は、透明樹脂やガラス等を用いて成形され、プリント基板５２上に設置されている。なお、プリント基板５２は、導光体５３の第１出射面５３ｂよりもその出射方向に突出して設けられている。
入射面５３ａはＬＥＤ５１と対向して設けられている。第１出射面５３ｂ及び第２出射面５３ｃは、導光体５３の第１出射部５３ｄ及び第２出射部５３ｅにそれぞれ設けられている。第１出射部５３ｄはプリント基板５２側に設けられ、第２出射部５３ｅは第１出射部５３ｄよりもコンタクトガラス４０側に突出して設けられている。そのため、第１出射部５３ｄの第１出射面５３ｂは、プリント基板５２と第２出射部５３ｅとの間に挟まれた位置に設けられている。
【００２５】
反射板５４は、第１出射面５３ｂから出射される光の光路に配置され、該光を原稿Ｓに向けて反射すると共に、第１拡散板５５を支持するための部材である。反射板５４は、導光体５３から離間した位置に、反射板ブラケット５９を介して第１枠体５８に固定されている。なお、反射板ブラケット５９は第１枠体５８と一体的に成形されていてもよい。第１拡散板５５は、第１出射面５３ｂから出射される光を拡散する例えば乳白色の樹脂部材である。
【００２６】
図３及び図４に示すように、反射板５４及び第１拡散板５５は、いずれも主走査方向に延在する部材である。反射板５４は、アルミ板等を機械加工（プレス加工）することで成形されており、主走査方向に延在する帯板状の反射板本体５４ａと、該反射板本体５４ａの対向方向に突出すると共に反射板本体５４ａの両端部に各々設けられる支持部５４ｂとを備えている。反射板本体５４ａのコンタクトガラス４０側の面は鏡面状に研磨されている。一対の支持部５４ｂには、主走査方向に延在する帯板状の第１拡散板５５が架け渡されて支持されている。第１拡散板５５は、所定の接着剤や両面テープ等により支持部５４ｂに対して固定されている。なお、第１拡散板５５の所定の縁部は、反射板本体５４ａと、一対の支持部５４ｂにより形成される支持面（図示せず）とが交差してなる交差線５４ｃに接して設けられている。
【００２７】
第１拡散板５５は、反射板５４に設けられることで、導光体５３から離間した位置に設けられる。また、第１拡散板５５は、導光体５３の第１出射面５３ｂと反射板５４との間の光路Ｌ１に配置され、且つ反射板５４と原稿Ｓとの間の光路Ｌ２から離間した位置に配置されている。すなわち、第１出射面５３ｂから出射された光は第１拡散板５５を一度だけ透過して原稿Ｓに到達するため、原稿Ｓを照射する光量が大きく減少することを防ぐことができる。
【００２８】
第１拡散板５５は導光体５３から離間して設けられるため、従来のように、プリント基板５２と第２出射部５３ｅとの間に挟まれた第１出射面５３ｂに接して設ける必要がない。そのため、第１拡散板５５の外形の製作精度や、取付精度をいずれも緩和することができ、第１拡散板５５の製作や取付の手間及びコストを削減することができる。また、第１拡散板５５は、反射板本体５４ａと一対の支持部５４ｂとが交差する部分（上述した交差線５４ｃ）に当接して取り付けられるため、取付作業をさらに容易に行うことができる。
【００２９】
第２拡散板５６は、導光体５３の第２出射面５３ｃから出射される光を拡散する例えば乳白色の樹脂部材である。第２拡散板５６は、主走査方向に延在し第２出射面５３ｃを全て覆う大きさの帯板状に成形され、第２出射面５３ｃに接して固定されている。また、第２拡散板５６は、第２出射面５３ｃと原稿Ｓとの間の光路Ｌ３に配置されている。
【００３０】
なお、本実施形態における第１拡散板５５及び第２拡散板５６には、副走査方向よりも主走査方向に積極的に光を拡散する異方性拡散部材を用いることが好ましい。複数のＬＥＤ５１は主走査方向に所定の間隔で配置されるため、主走査方向での照度ムラが生じやすい。異方性拡散部材を用いて主走査方向に積極的に光を拡散することで、原稿Ｓの照射領域における照度分布が主走査方向において均一化することができる。
【００３１】
反射ミラー５７は、原稿Ｓの照射領域の直下に配置されており、原稿Ｓからの反射光をミラーユニット６０に向けて反射するものである。
【００３２】
図２に戻り、ミラーユニット６０は、原稿Ｓからの反射光を受光ユニット７０に向けて反射して導光するものであり、照明ユニット５０の第１枠体５８と同期して副走査方向に移動する第２枠体６１と、第２枠体６１に保持されると共に上記反射光を反射する２つの反射ミラー６２とを備えている。
【００３３】
受光ユニット７０は、ミラーユニット６０を介して入射される反射光を画像データに変換するものであり、入射する反射光に基づいて電気信号を出力するＣＣＤ（Charge Coupled Device）センサ７１（受光素子）と、反射光をＣＣＤセンサ７１にて結像させる結像レンズ７２と、ＣＣＤセンサ７１から出力される電気信号を原稿Ｓの画像データに変換する不図示の変換部とを備えている。
【００３４】
図１に戻り、印刷部３は、ベルトユニット３１と、画像形成ユニット３２と、給紙カセット３３と、給紙トレイ３４と、二次転写部３５と、定着部３６と、排紙トレイ３７と、搬送路３８とを備えている。
【００３５】
ベルトユニット３１は、画像形成ユニット３２において形成されるトナー画像が転写され、この転写されたトナー画像を搬送するものであり、画像形成ユニット３２からトナー画像が転写される中間転写ベルト３１１と、中間転写ベルト３１１を架設すると共に無端回送させる駆動ローラ３１２と、従動ローラ３１３と及びテンションローラ３１４を備えている。
中間転写ベルト３１１は、駆動ローラ３１２、従動ローラ３１３及びテンションローラ３１４に張架される構成となっている。
駆動ローラ３１２は、モータ等の駆動源を有する駆動部に接続され、中間転写ベルト３１１に対しグリップ力を付与しつつ回走させるものである。
従動ローラ３１３は、駆動ローラ３１２の回転駆動に従動して回転駆動するものである。
テンションローラ３１４は、駆動ローラ３１２の回転駆動に従動して回転駆動する従動ローラの一種であり、バネ機構を有して中間転写ベルト３１１にテンションを与えるものである。
また、ベルトユニット３１には、不図示のクリーニング部が併設されており、中間転写ベルト３１１に残留したトナー等を除去する構成となっている。
【００３６】
画像形成ユニット３２は、イエロー（Ｙ）、マゼンダ（Ｍ）、シアン（Ｃ）、ブラック（ＢＫ）の各色にそれぞれ対応して設けられており、各色のトナー画像を形成するものである。そして、これらの画像形成ユニット３２は、中間転写ベルト３１１に沿って配列されている。
【００３７】
各画像形成ユニット３２は、感光体３２１と、帯電器３２２と、レーザスキャニングユニット３２３と、現像装置３２４と、一次転写ローラ３２５と、クリーニング装置３２６及び不図示の除電装置等とを有する。
感光体３２１は、円柱に形状設定され、その周面に静電潜像及び当該静電潜像に基づくトナー像が形成されるものである。帯電器３２２は、感光体３２１に対して対向配置され、感光体３２１の周面を帯電状態とするものである。レーザスキャニングユニット３２３は、印刷形式の画像データに基づいて出射されるレーザ光を帯電状態の感光体３２１の周面において走査するものである。現像装置３２４は、感光体３２１の周面に対してトナーを供給することによって感光体３２１の周面上に静電潜像に基づく画像を現像するものである。一次転写ローラ３２５は、中間転写ベルト３１１を挟んで感光体３２１と対向配置され、感光体３２１に現像された画像を中間転写ベルト３１１に一次転写するものである。クリーニング装置３２６は、一次転写の後に感光体３２１上に残留したトナーを除去するものである。
【００３８】
給紙カセット３３は、装置本体に対して引き出し自在であり、記録紙を収容するものである。給紙トレイ３４は、装置本体に対して開閉自在であり、記録紙を収容するものである。
二次転写部３５は、中間転写ベルト３１１上に形成された画像を記録紙に二次転写するものであって、中間転写ベルト３１１を駆動させる駆動ローラ３１２と、中間転写ベルト３１１を挟んで該駆動ローラ３１２と対向配置される二次転写ローラ３５１とから構成されている。
定着部３６は、記録紙上に二次転写されたトナー像を記録紙に定着させるものであり、加圧及び加熱することによりトナー像を記録紙に定着させる加熱ローラを備える。
搬送路３８は、給紙カセット３３から記録紙を搬出するピックアップローラ３８１、記録紙を搬送する給紙ローラ３８２、排紙トレイ３７に記録紙を排紙する排紙ローラ３８３等を備える。
【００３９】
このような構成を有する本実施形態の複写機１は、上述のように、照明ユニット５０と、受光ユニット７０と、印刷部３とを備えており、照明ユニット５０から出射された光が原稿Ｓに照射され、その反射光を受光ユニット７０で画像データに変換し、さらに印刷部３が当該画像データに基づいて記録紙に印刷を行う。
【００４０】
したがって、本実施形態によれば、第１拡散板５５の外形の製作精度や、取付精度をいずれも緩和することができ、第１拡散板５５の製作や取付の手間及びコストを削減することができる。そのため、第１拡散板５５を備える画像読取部２及びそれを備える複写機１の製造の手間及びコストを削減できるという効果がある。
【００４１】
〔第２実施形態〕
第２の実施形態における複写機が備える照明ユニットの構成を、図５及び図６を参照して説明する。
図５は、本実施形態における照明ユニット５０の側面図である。また、図６は、本実施形態における反射板ブラケット５９Ａの斜視図である。なお、図５及び図６において、図３及び図４に示す第１の実施形態の構成要素と同一の要素については同一の符号を付し、その説明を省略する。
【００４２】
反射板５４Ａは、導光体５３の第１出射面５３ｂから出射される光を原稿Ｓに向けて反射するものである。反射板５４Ａは、アルミ等から成形され主走査方向に延在する帯板部材であり、コンタクトガラス４０に対向する面は鏡面状に研磨されている。反射板５４Ａは、反射板ブラケット５９Ａ（取付部）を介して第１枠体５８に固定されている。なお、反射板ブラケット５９Ａは第１枠体５８と一体的に成形されていてもよい。
【００４３】
反射板ブラケット５９Ａは、鋼板等を機械加工（プレス加工）することで成形されており、主走査方向に延在すると共に反射板５４Ａが取り付けられる取付面５９ａと、該取付面５９ａの対向方向に突出すると共に取付面５９ａの両端側に各々設けられる一対の支持部５９ｂとを備えている。一対の支持部５９ｂには、第１拡散板５５が架け渡されて支持されている。第１拡散板５５は、所定の接着剤や両面テープ等により支持部５９ｂに対して固定されている。なお、第１拡散板５５の所定の縁部は、取付面５９ａと、一対の支持部５９ｂにより形成される支持面（図示せず）とが交差してなる交差線５９ｃに接して設けられている。
【００４４】
第１拡散板５５は、反射板ブラケット５９Ａに設けられることで、導光体５３から離間した位置に設けられる。また、第１拡散板５５は、導光体５３の第１出射面５３ｂと反射板５４Ａとの間の光路Ｌ１に配置され、且つ反射板５４Ａと原稿Ｓとの間の光路Ｌ２から離間した位置に配置されている。すなわち、第１出射面５３ｂから出射された光は第１拡散板５５を一度だけ透過して原稿Ｓに到達するため、原稿Ｓを照射する光量が大きく減少することを防ぐことができる。
また、反射板ブラケット５９Ａは高い剛性を有する鋼板等から成形されるため、第１枠体５８が副走査方向で移動するときにも第１拡散板５５を安定して保持することができる。したがって、第１拡散板５５の振動等が防止され、受光ユニット７０（図２参照）による原稿Ｓの画像の読取精度を向上させることができる。
【００４５】
第１拡散板５５は導光体５３から離間して設けられるため、従来のように、プリント基板５２と第２出射部５３ｅとの間に挟まれた第１出射面５３ｂに接して設ける必要がない。そのため、第１拡散板５５の外形の製作精度や、取付精度をいずれも緩和することができ、第１拡散板５５の製作や取付の手間及びコストを削減することができる。また、第１拡散板５５は、取付面５９ａと一対の支持部５９ｂとが交差する部分（上述した交差線５９ｃ）に当接して取り付けられるため、取付作業をさらに容易に行うことができる。
【００４６】
したがって、本実施形態によれば、第１拡散板５５の外形の製作精度や、取付精度をいずれも緩和することができ、第１拡散板５５の製作や取付の手間及びコストを削減することができる。そのため、第１拡散板５５を備える画像読取部２及びそれを備える複写機１の製造の手間及びコストを削減できるという効果がある。
さらに、本実施形態によれば、第１枠体５８が副走査方向で移動するときにも第１拡散板５５を安定して保持することができ、原稿Ｓの画像の読取精度を向上させることができる。
【００４７】
以上、添付図面を参照しながら本発明に係る好適な実施形態について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【００４８】
例えば、上記実施形態では、画像読取部２は複写機１に設けられているが、これに限定されるものではなく、例えば画像読取部２を、原稿Ｓの画像を画像データとして読み取り該画像データをパソコン等に出力するスキャナに設けた構成であってもよい。
【００４９】
また、上記実施形態では、第１拡散板５５は光路Ｌ１に設けられ、光路Ｌ２から離間した位置に設置されているが、これに限定されるものではなく、第１拡散板５５を光路Ｌ２に設置し、光路Ｌ１から離間した位置に設置してもよい。
【００５０】
また、上記実施形態では、導光体５３は第１出射面５３ｂ及び第２出射面５３ｃをいずれも備えているが、これに限定されるものではなく、導光体５３が第１出射面５３ｂのみを備える構成であってもよい。このような構成によっても、第１拡散板５５の製作や取付の手間及びコストを削減できるという効果がある。
【符号の説明】
【００５１】
１…複写機、２…画像読取部（画像読取装置）、３…印刷部、５１…ＬＥＤ（光源）、５３…導光体、５３ｂ…第１出射面（出射面）、５３ｃ…第２出射面、５４，５４Ａ…反射板、５４ｂ，５９ｂ…支持部、５５…第１拡散板（拡散板）、５６…第２拡散板、５９Ａ…反射板ブラケット（取付部）、７１…ＣＣＤセンサ（受光素子）、Ｓ…原稿（読取対象物）、Ｌ１，Ｌ２，Ｌ３…光路
【図１】
2011211464.tif 000003
【図２】
2011211464.tif 000004
【図３】
2011211464.tif 000005
【図４】
2011211464.tif 000006
【図５】
2011211464.tif 000007
【図６】
2011211464.tif 000008